(57)【要約】      （修正有）【課題】安価に製造でき、且つ育成する植物に自動散水する構造を具備させたビニールハウスを提供する。【解決手段】塩化ビニルパイプを用いて当該パルプと当該塩化ビニル製の連結部材にて骨組みしたビニールハウスであり、使用する塩化ビニルパイプ表面から内部に多数の貫通孔を設けることにより少なくとも塩化ビニルパイプの一か所から水を通水させることで貫通孔を通してビニールハウス内の植物に自動散水できる構造を備えたことを特徴とする。【選択図】図２
0003199988.tif 000002
【実用新案登録請求の範囲】
【請求項１】
本考案は、ビニールハウスの基台に多数の塩化ビニルパイプを柱として立設し、多数の該パイプをアーチ状に組み合わせ屋根の骨組みとして掛け渡し、該柱および該屋根の骨組みとを複数の該パイプにて横通して構成されたビニールハウス。
【請求項２】
本考案は、多数の塩化ビニルパイプを柱として一部領域を地中に埋め込んで立設し、多数の該パイプをアーチ状に組み合わせ屋根の骨組みとして掛け渡し、該柱および該屋根の骨組みとを複数の該パイプにて横通して構成されたビニールハウス。
【請求項３】
塩化ビニルパイプで骨組みされたビニールハウスに於いて、該塩化ビニルパイプを連結する部材並びに接続する部材も塩化ビニル樹脂から成り、且つ、いずれの部材も内部を空洞化させた事を特徴とする請求項１および請求項２記載のビニールハウス。
【請求項４】
少なくとも塩化ビニルパイプの一つに外部から水を供給できる構造を具備させ、ビニールハウスを構成する該塩化ビニルパイプの側面部に散水用の貫通穴を多数設けた事を特徴とする請求項１および請求項２記載のビニールハウス。
【請求項５】
ビニールハウスのシート材料のポリカーボネイトからなる請求項１および請求項２記載のビニールハウス。
【考案の詳細な説明】
【技術分野】
【０００１】本考案は、塩化ビニルパイプを骨組みとし、フィルム材をポリカーボネイトとしたビニールハウスに関する。
【背景技術】
【０００２】従来、この種のビニールハウスの骨組みは、鉄骨、鋼管や木材を躯体とし、合成樹脂フィルム、特に塩化ビニルフィルムが使用されている。
【先行技術文献】
【特許文献】
【０００３】
【特許文献１】特許公開２００６−２３０２３１号
【０００４】
【考案の概要】
【考案が解決しようとする課題】
【０００５】従来から使用されているビニールハウスの躯体は鉄材料が主流であり経過年数が増すと腐食による強度低下の課題があり、一方、塩化ビニルファイルも対候性に乏しいため劣化すると非常に脆く破れやすいという課題があった。そのため、フィルムに関しては対候性に優れるポリオレフィンやフッ素樹脂の硬質フィルムが使用され始めている。【０００６】しかしながら、上記フィルムを使用するとなると価格的に農家への負担が大きくなるばかりか、小規模農業者への展開は厳しい状況である。同様に躯体材料に関しても、鉄鋼やステンレス鋼の使用による価格面での負担が大きい。【０００７】特許文献１にはビニールハウス骨組み素材にポリエチレンテレフタレート樹脂を用いることが記載されている。確かに、従来のビニールハウスの骨組みよりコスト削減、軽量などの利点はあるもののキズが入りやすいことが最大の欠点となり寿命面で完全とは言い難い。
【課題を解決するための手段】
【０００８】上記課題に鑑み、考案者は誠意工夫の結果、ビニールハウスの躯体材料に安価な塩化ビニルパイプを多数組み合わせることにより該ハウスの骨組みを立設でき、鉄鋼製柱やパイプのように錆や腐食などによる劣化がなく、且つ、ポリエチレンテレフタレート樹脂よりキズへの耐性があるため延命効果も期待できることを見出した。【０００９】更に、ビニールハウスに使用するフィルムには、透明のポリカーボネイト製の板を多数使用することで圧倒的に強度を向上させることが可能となる。また、透明であるため太陽光を今まで通り該ハウスに入射させることができるため植物の成長に関しての問題を生じさせない。更に、２層構造のポリカーボネイト板は中間層に空気が入っているため暖房効果が格段に向上することも利点となる。【００１０】本考案の塩化ビニルパイプには連結部材並びに接続部材の内部にも空洞を設けているため該ハウスの少なくとも一か所から水を導入することで該ハウス骨組み全体に水を通水させることができる。更に、各塩化ビニルパイプ表面から空洞部に貫通させた孔を具備することで、上記パイプ内の通水により該ハウス内部の植物に自動的に散水できる構造を備えている。
【考案の効果】
【００１１】本考案の塩化ビニルパイプによる骨組みとポリカーボネイト板から構成されたビニールハウスによれば、従来のビニールハウスより強度面で優れ安価であり、且つ、水道水などを該塩化ビニルパイプ内に通水することにより該パイプ表面の孔から散水ができるため農作業の効率も改善できる。
【図面の簡単な説明】
【００１２】
【図１】本考案による一実施例であり基台に塩化ビニルパイプで骨組みしたビニールハウスである。
【図２】本考案により一実施例であり基台なしの状態で塩化ビニルパイプを骨組みしたビニールハウスである。
【図３】塩化ビニルパイプを連結される部材の一例を示す。
【図４】表面に貫通孔を具備した塩化ビニルパイプである。
【考案を実施するための形態】
【００１３】以下、本考案に係る実施の形態を図面により説明する。
【実施例】
【００１４】図１および図２は本考案によるビニールハウスの一実施例を示す。図１は基台１に複数の塩化ビニルパイプ２を立設し、連結部材４にてアーチ状に変形させた複数の塩化ビニルパイプ３にて屋根の骨組みとして掛け渡し、該柱および該屋根の骨組みとを複数の塩化ビニルパイプにて横通してビニールハウスの骨格を構成する。尚、基台１に関してはコンクリートで外枠を製造しても良く、塩化ビニルパイプの一部を地中に埋め込んで固定しても良く、あるいは、塩化ビニルパイプを固定しないで製造するなど用途に応じて適宜変えることができる。【００１５】塩化ビニルパイプを接続するための連結部材の一例を図３に示す。ビニールハウスの構造に依存して適宜構造の異なる連結部材を使用するが、連結部材５は塩化ビニルパイプを延長、連結部材６はＴ字型、連結部材７は十字型にする際に使用する。【００１６】具体的な塩化ビニルパイプの接続方法は、図３Ｃに示すように連結部材７と塩化ビニルパイプ９のそれぞれの内部に挿入する接続部材８から構成されている。【００１７】フィルム部に関しては、図１および図２の従来の塩化ビニルフィルムに代わり板状のポリカーボネイト板１０を多数枚貼り付けることで完成する。ポリカーボネイト板は、透明であれば太陽光をハウス内に取り込むことができ従来のビニールハウスと同等の効果を維持できる。また、２層構造のポリカーボネイト板を使用すれば内部には空気が介在するため断熱効果も良くなり気温の下がる冬場には従来のビニールハウスより該ハウス内部の気温低下を抑制できる。【００１８】本考案の塩化ビニルパイプ、接続部材および連結部材は全て内部が空洞構造となっているため塩化ビニルパイプの一部から水道水などをパイプ内部に通水すると該ビニールハウスの骨組み構造部に水が行き渡る。従い、塩化ビニルパイプに散水用の孔１１を空けることで該ハウス内の植物に自動で散水することができるので作業効率も改善する効果もある。
尚、本考案に使用する塩化ビニルパイプの直径や本数などはビニールハウスの大きさや形状により適宜変更することができる。
【産業上の利用可能性】
【００１９】本考案は、断熱効果が良く、軽量であり製造が簡単でるため災害時の緊急宿泊施設などにも利用できる。
【符号の説明】
【００２０】１    基台
２    塩化ビニルパイプ
３    アーチ状塩化ビニルパイプ
４    連結部材
５    延長用連結部材
６    Ｔ字型連結部材
７    十字型連結部材
８    接続部材
９    塩化ビニルパイプ
１０  ポリカーボネイト板
１１  散水用塩化ビニルパイプ
【図１】
0003199988.tif 000003
【図２】
0003199988.tif 000004
【図３】
0003199988.tif 000005
【図４】
0003199988.tif 000006
【手続補正書】
【提出日】平成27年7月3日(2015.7.3)
【手続補正１】
【補正対象書類名】実用新案登録請求の範囲
【補正対象項目名】全文
【補正方法】変更
【補正の内容】
【実用新案登録請求の範囲】
【請求項１】
ビニールハウスの基台に多数の塩化ビニルパイプを柱として立設し、多数の該パイプをアーチ状に組み合わせ屋根の骨組みとして掛け渡し、該柱および該屋根の骨組みとを複数の該パイプにて横通して構成されたビニールハウス。
【請求項２】
多数の塩化ビニルパイプを柱として一部領域を地中に埋め込んで立設し、多数の該パイプをアーチ状に組み合わせ屋根の骨組みとして掛け渡し、該柱および該屋根の骨組みとを複数の該パイプにて横通して構成されたビニールハウス。
【請求項３】
塩化ビニルパイプで骨組みされたビニールハウスに於いて、該塩化ビニルパイプを連結する部材並びに接続する部材も塩化ビニル樹脂から成り、且つ、いずれの部材も内部を空洞化させた事を特徴とする請求項１または請求項２記載のビニールハウス。
【請求項４】
少なくとも塩化ビニルパイプの一つに外部から水を供給できる構造を具備させ、ビニールハウスを構成する該塩化ビニルパイプの側面部に散水用の貫通穴を多数設けた事を特徴とする請求項１または請求項２記載のビニールハウス。
【請求項５】
ビニールハウスのシート材料が透明のポリカーボネイトからなる請求項１または請求項２記載のビニールハウス。
【手続補正書】
【提出日】平成27年7月10日(2015.7.10)
【手続補正１】
【補正対象書類名】明細書
【補正対象項目名】全文
【補正方法】変更
【補正の内容】
【考案の詳細な説明】
【技術分野】
【０００１】本考案は、塩化ビニルパイプを骨組みとしたビニールハウスに関する。
【背景技術】
【０００２】従来、この種のビニールハウスの骨組みは、鉄骨、鋼管や木材を躯体とし、合成樹脂フィルム、特に塩化ビニルフィルムが使用されている。
【先行技術文献】
【特許文献】
【０００３】
【特許文献１】特許公開２００６−２３０２３１号
【０００４】
【考案の概要】
【考案が解決しようとする課題】
【０００５】従来から使用されているビニールハウスの躯体は鉄材料が主流であり経過年数が増すと腐食による強度低下の課題があり、一方、塩化ビニルフィルムも対候性に乏しいため劣化すると非常に脆く破れやすいという課題があった。そのため、フィルムに関しては対候性に優れるポリオレフィンやフッ素樹脂の硬質フィルムが使用され始めている。【０００６】しかしながら、上記フィルムを使用するとなると価格的に農家への負担が大きくなるばかりか、小規模農業者への展開は厳しい状況である。同様に躯体材料に関しても、鉄鋼やステンレス鋼の使用による価格面での負担が大きい。【０００７】特許文献１にはビニールハウス骨組み素材にポリエチレンテレフタレート樹脂を用いることが記載されている。確かに、従来のビニールハウスの骨組みよりコスト削減、軽量などの利点はあるもののキズが入りやすいことが最大の欠点となり寿命面で完全とは言い難い。
【課題を解決するための手段】
【０００８】上記課題に鑑み、考案者は誠意工夫の結果、ビニールハウスの躯体材料に安価な塩化ビニルパイプを多数組み合わせることにより該ハウスの骨組みを立設でき、鉄鋼製柱やパイプのように錆や腐食などによる劣化がなく、且つ、ポリエチレンテレフタレート樹脂よりキズへの耐性があるため延命効果も期待できることを見出した。【０００９】更に、塩化ビニルパイプは一部が破損してもホームセンター等で容易に購入でき、また修繕も鉄製パイプと比較して軽量であるため専用工具も必要なく非常に容易である。同様に連結部材も塩化ビニルパイプで製造できるためビニールハウス所有者自らハウス構造も設計変更できる。【００１０】本考案の塩化ビニルパイプには連結部材並びに接続部材の内部にも空洞を設けているため該ハウスの少なくとも一か所から水を導入することで該ハウス骨組み全体に水を通水させることができる。更に、各塩化ビニルパイプ表面から空洞部に貫通させた孔を具備することで、上記パイプ内の通水により該ハウス内部の植物に自動的に散水できる構造を備えている。
【考案の効果】
【００１１】本考案の塩化ビニルパイプによる骨組みから構成されたビニールハウスによれば、従来の鉄製の骨組みより安価に製造でき、且つ、水道水などを該塩化ビニルパイプ内に通水することにより該パイプ表面の孔から散水ができるため農作業の効率も改善できる
【図面の簡単な説明】
【００１２】
【図１】本考案による一実施例であり基台に塩化ビニルパイプで骨組みしたビニールハウスである。
【図２】塩化ビニルパイプを連結させた構造の一例を示す。
【図３】塩化ビニルパイプを連結される部材の一例を示す。
【図４】表面に貫通孔を具備した塩化ビニルパイプである。
【考案を実施するための形態】
【００１３】以下、本考案に係る実施の形態を図面により説明する。
【実施例】
【００１４】図１は従来型のビニールハウス構造であり、複数の塩化ビニルパイプ２と連結部材４にて骨格を構成する。尚、基台１を使用する場合はコンクリートで外枠を製造しても良く、基台を使用しない場合には塩化ビニルパイプの一部を地中に埋め込んで固定しても良く、あるいは、塩化ビニルパイプを固定しないで製造するなど用途に応じて適宜変えることができる。【００１５】塩化ビニルパイプを接続させた一例を図２、接続するための連結部材の一例を図３に示す。ビニールハウスの構造に依存して適宜構造の異なる連結部材を使用するが、連結部材５は塩化ビニルパイプを延長、連結部材６はＴ字型、連結部材７は十字型にする際に使用する。【００１６】具体的な塩化ビニルパイプの接続方法は、図３Ｃに示すように連結部材７と塩化ビニルパイプ９のそれぞれの内部に挿入する接続部材８から構成されている。【００１７】ビニールハウスの骨組みを被覆するフィルム部に関しては、図１の骨組みに従来の塩化ビニルフィルムを用いることで完成する。【００１８】本考案の塩化ビニルパイプ、接続部材および連結部材は全て内部が空洞構造となっているため塩化ビニルパイプの一部から水道水などをパイプ内部に通水すると該ビニールハウスの骨組み構造部に水が行き渡る。従い、塩化ビニルパイプに散水用の孔１１を空けることで該ハウス内の植物に自動で散水することができるので作業効率も改善する効果もある。尚、本考案に使用する塩化ビニルパイプの直径や本数などはビニールハウスの大きさや形状により適宜変更することができる。
【産業上の利用可能性】
【００１９】本考案は、軽量であり製造が簡単であるため災害時の緊急宿泊施設などにも利用できる。
【符号の説明】
【００２０】１    基台２    塩化ビニルパイプ３    アーチ状塩化ビニルパイプ４    連結部材５    延長用連結部材６    Ｔ字型連結部材７    十字型連結部材８    接続部材９    塩化ビニルパイプ１０  ビニールハウス骨組みの拡大図１１  散水用塩化ビニルパイプ
【手続補正２】
【補正対象書類名】図面
【補正対象項目名】図２
【補正方法】変更
【補正の内容】
【図２】
0003199988.tif 000007